(57)【要約】【課題】  ゲルマニウムが脱落するのを防止し、長期的に安定した遠赤外線効果が得られるようにする。【解決手段】  メガネフレームの複数の部品のうちの少なくとも１つの部品、例えば、モダン１３の皮膚と接触する部分に、モダン１３を外面から内面に貫通する取付け孔１４を設ける。取付け孔１４は、内周面が所定の角度のテーパ面に形成され、この取付け孔１４内に円錐形状のゲルマニウム１７が嵌合される。ゲルマニウム１７は、先端部が取付け孔１４から突出し、後端側の取付け孔１４の部分に空隙が形成されるように、各部の寸法が設定される。空隙内にエナメル等の固着剤１８を充填させ、固化させることにより、ゲルマニウム１７が取付け孔１４に固着される。ゲルマニウム１７が脱落するのを防止できるので、長期的に安定した遠赤外線効果が得られる。【選択図】        図５
0003105694.tif 000002
【実用新案登録請求の範囲】
【請求項１】
リム、ブリッジ、テンプル、モダン、ノーズパッド等の複数の部品からなるメガネフレームであって、
複数の部品のうちの少なくとも１つの部品の皮膚と接触する部分に、少なくとも１つのゲルマニウムを該部品の表面から突出した状態に取り付けたことを特徴とするメガネフレーム。
【請求項２】
前記部品の皮膚と接触する部分に取付け孔を設け、該取付け孔内に前記ゲルマニウムを先端部が該部品の表面から突出するように取り付けたことを特徴とする請求項１に記載のメガネフレーム。
【請求項３】
前記取付け孔内に前記ゲルマニウムを固着剤により固着させたことを特徴とする請求項２に記載のメガネフレーム。
【請求項４】
前記固着剤は、樹脂、エナメル等からなることを特徴とする請求項３に記載のメガネフレーム。
【請求項５】
前記取付け孔は内周面がテーパ面に形成されるとともに、前記ゲルマニウムは前記取付け孔の内周面と合致する円錐形状に形成されていることを特徴とする請求項２から４の何れかに記載のメガネフレーム。
【請求項６】
前記ゲルマニウムは、純度が９９．９９９％以上のゲルマニウムであることを特徴とする請求項１から５の何れかに記載のメガネフレーム。
【考案の詳細な説明】
【技術分野】
【０００１】
本考案は、メガネフレームに関し、特に、健康増進機能を備えたメガネフレームに関する。
【背景技術】
【０００２】
この種のメガネフレームの一例として、一対の環状のリム、両リムの内縁部間に連結されるブリッジ、各リムの外縁部に連結されるヨロイ、各リムの内縁部に連結されるパッド足、及び各パッド足に取り付けられるノーズパッドからなるフロント部と、フロント部の各ヨロイに蝶番を介して回動自在に連結されるテンプルと、各テンプルの先端部に取り付けられるモダンとを備え、ノーズパッド、モダン等の一部にゲルマニウムを取り付けたものが知られている（例えば、特許文献１参照。）。
【０００３】
このような構成のメガネフレームにあっては、メガネフレームを顔に装着したときに、ノーズパッド、モダン等に取り付けたゲルマニウムが顔に接触することにより、ゲルマニウムによる遠赤外線効果を得ることができ、健康増進を図ることができるというものである（例えば、特許文献１参照。）。
【特許文献１】特開２００２−３１１３９８号公報
【考案の開示】
【考案が解決しようとする課題】
【０００４】
しかし、上記のような構成のメガネフレームにあっては、ゲルマニウムを金や銀等の他の金属と合金化して、機械加工により所定の形状に形成し、接着剤を介してメガネフレームのモダンやノーズパッドに取り付けているため、純度が９９．９９９％以上のゲルマニウムを使用した場合に比べて、十分な遠赤外線効果が得られない。また、超音波洗浄器等によって洗浄した場合に、接着剤が剥がれてしまってゲルマニウムがメガネフレームから脱落してしまうことがある。さらに、ゲルマニウムがメガネフレームの表面と面一となっているため、ゲルマニウムを皮膚に十分に接触させることができず、ゲルマニウムによる遠赤外線効果が十分に得られない。
【０００５】
本考案は、上記のような従来の問題を解決したものであって、純度が９９．９９９％以上のゲルマニウムによる遠赤外線効果が得られるとともに、超音波洗浄器等によって洗浄してもメガネフレームから脱落する虞が全くなく、長期的に安定した性能を発揮することができるとともに、ゲルマニウムを皮膚に確実に接触させることができて、ゲルマニウムによる遠赤外線効果が確実に得られるメガネフレームを提供することを目的とするものである。
【課題を解決するための手段】
【０００６】
上記のような課題を解決するために、本考案の請求項１に係るメガネフレームは、リム、ブリッジ、テンプル、モダン、ノーズパッド等の複数の部品からなるメガネフレームであって、複数の部品のうちの少なくとも１つの部品の皮膚と接触する部分に、少なくとも１つのゲルマニウムを先端部が該部分の表面から突出するように取り付けた手段を採用している。
【０００７】
また、本考案の請求項２に係るメガネフレームは、請求項１に記載のメガネフレームであって、前記部品の皮膚と接触する部分に、該部分を貫通する内周面がテーパ面の取付け孔を設け、該取付け孔内に円錐形状のゲルマニウムを嵌合させて、先端部を該取付け孔から突出させ、この状態で該ゲルマニウムの後端部側の取付け孔内に固着剤を充填して固化させ、該取付け孔内に該ゲルマニウムを固着させるように構成した手段を採用している。
【０００８】
さらに、本考案の請求項３に係るメガネフレームは、請求項２に記載のメガネフレームであって、前記固着剤は、樹脂、エナメル等からなる手段を採用している。
【０００９】
さらに、本考案の請求項４に係るメガネフレームは、請求項１から３の何れかに記載のメガネフレームであって、前記ゲルマニウムは、純度が９９．９９９％以上のゲルマニウムである手段を採用している。
【考案の効果】
【００１０】
本考案は、前記のように構成して、ゲルマニウムの先端部をメガネフレームの皮膚と接触する部品の表面から突出させたので、メガネフレームを顔に装着したときに、ゲルマニウムの先端部を確実に皮膚に接触させることができ、ゲルマニウムによる遠赤外線効果が確実に得られ、健康増進を図ることができる。
また、ゲルマニウムは、メガネフレームの皮膚と接触する部品の取付け孔内に取り付けられ、しかも取付け孔内に固着剤によって固着されているので、超音波洗浄器等によって洗浄しても脱落する心配は全くなく、長期的に安定した性能を発揮することができる。さらに、取付け孔の内周面はテーパ面に形成され、ゲルマニウムは取付け孔の内周面に合致する円錐形状に形成されているので、さらに強固にゲルマニウムを取付け孔内に保持することができ、超音波洗浄器等によって洗浄しても脱落する心配は全くなく、長期的に安定した性能を発揮することができる。
さらに、ゲルマニウムを円錐形状とすることにより、ゲルマニウムの尖った先端部を皮膚に接触させることができるので、所謂ツボ押しの効果が得られることになり、さらに健康増進を図ることができる。
さらに、ゲルマニウムは、純度が９９．９９９％以上のゲルマニウムであるので、遠赤外線機能に優れた効果が得られ、健康増進を図ることができる。
【考案を実施するための最良の形態】
【００１１】
以下、図面に示す本考案の実施の形態について説明する。
図１〜図７には、本考案によるメガネフレームの一実施の形態が示されていて、図１は全体を示す斜視図、図２は図１の部分拡大図、図３は図２のＡ−Ａ線断面図、図４は図３の取付け孔内にゲルマニウムを嵌合させた状態を示した説明図、図５は図３の取付け孔内にゲルマニウムを嵌合させ、その外側に固着剤を充填した状態を示した説明図、図６は図１の部分拡大図、図７は図６のＢ−Ｂ線断面図である。
【００１２】
すなわち、このメガネフレーム１は、一対の環状のリム３、３、両リム３、３の内縁部間に連結されるブリッジ４、各リム３の外縁部に連結されるヨロイ５、各リム３の内縁部に連結されるパッド足６、及び各パッド足６の先端部に取り付けられるノーズパッド７からなるフロント部２と、フロント部２の各ヨロイ５に蝶番１１を介して回動自在に連結されるテンプル１２と、各テンプル１２の先端部に装着されるモダン１３とを備えている。
【００１３】
各モダン１３の先端部の皮膚に接触する部分には、図２及び図３に示すように、それぞれ２箇所に各モダン１３を外面から内面に貫通する取付け孔１４、１４が設けられている。各取付け孔１４は、内周面が所定の角度のテーパ面１５（モダン１３の外面から内面に向かって漸次小径となるテーパ面１５）に形成され、この取付け孔１４内にゲルマニウム１７が取り付けられている。
【００１４】
ゲルマニウム１７は、純度が９９．９９９％以上のゲルマニウムであって、モダン１３の取付け孔１４と合致する各種の成形方法によって円錐形状に形成される。ゲルマニウム１７は、取付け孔１４内に嵌合される。この場合、ゲルマニウム１７の先端部が取付け孔１４から所定の長さ突出し、後端部に所定の空隙１６が形成されるように、ゲルマニウム１７の各部の寸法（高さ、底面の直径等）が設定される。
【００１５】
ゲルマニウム１７は、図４及び図５に示すように、モダン１３の取付け孔１４内に嵌合させ、後端部の空隙１６内に樹脂、エナメル等の固着剤１８をモダン１３の外面と面一となるように充填し、固化させることにより、取付け孔１４内に固着される。
【００１６】
各ノーズパッド７の皮膚に接触する部分には、図６及び図７に示すように、それぞれ２箇所に各ノーズパッド７を外面から内面に貫通する取付け孔８、８が設けられている。各取付け孔８は、モダン１３の取付け孔１４と同様に、内周面が所定の角度のテーパ面９（ノーズパッド７の外面から内面に向かって漸次小径となるテーパ面９）に形成され、この取付け孔８内にゲルマニウム１７が取り付けられる。
【００１７】
ゲルマニウム１７は、モダン１３のゲルマニウム１７と同様に、純度が９９．９９９％以上のゲルマニウムであって、ノーズパッド７の取付け孔８と合致する円錐形状に各種の成形方法によって形成される。ゲルマニウム１７は、取付け孔８内に嵌合される。この場合、ゲルマニウム１７は、先端部が取付け孔８から所定の長さ突出し、後端部に所定の空隙１０が形成されるように、各部の寸法（高さ、底面の直径等）が設定される。
【００１８】
ゲルマニウム１７は、図７に示すように、ノーズパッド７の取付け孔８内に嵌合させ、後端部の空隙１０内に樹脂、エナメル等の固着剤１８をノーズパッド７の外面と面一となるように充填し、固化させることにより、取付け孔８内に固着される。
【００１９】
そして、上記のように構成したこの実施の形態によるメガネフレーム１を顔に装着することにより、ノーズパッド７、７の２つのゲルマニウム１７、１７が鼻の側面に接触するとともに、モダン１３、１３の２つのゲルマニウム１７、１７が耳の上部の頭皮に接触することになる。
【００２０】
この場合、ノーズパッド７、７の各ゲルマニウム１７は、ノーズパッド７，７の内面から先端部が突出しているので、各ゲルマニウム１７を確実に鼻の側面に接触させることができる。また、モダン１３、１３の各ゲルマニウム１７も、モダン１３、１３の内面から先端部が突出しているので、各ゲルマニウム１７を確実に耳の上部の頭皮に接触させることができる。従って、ゲルマニウム１７としての遠赤外線効果が確実に得られることになる。
【００２１】
さらに、各ゲルマニウム１７は、純度が９９．９９９％以上のゲルマニウムであるので、金、銀と合金化したゲルマニウムに比べて、より優れた遠赤外線効果が得られることになる。
【００２２】
さらに、各ゲルマニウム１７は、それぞれ円錐形状に形成され、ノーズパッド７、７に設けた内周面がテーパ面の取付け孔８、８、モダン１３、１３に設けた内周面がテーパ面の取付け孔１４、１４内に嵌合され、その状態で各ゲルマニウム１７の後端部の空隙１０、１６内に樹脂、エナメル等の固着剤１８が充填され、固化されているので、各ゲルマニウム１７を各取付け孔８、１４内に確実に固着させることができる。従って、超音波洗浄器等によってメガネフレーム１を洗浄してもゲルマニウム１７が脱落する心配は全くなく、長期的に安定した性能が得られることになる。
【００２３】
なお、前記の説明においては、各ノーズパッド７及び各モダン１３にそれぞれ２つのゲルマニウム１７を取り付けたが、１つ又は３つ以上のゲルマニウムを取り付けるように構成しても良い。
また、ノーズパッド、モダンに限らず、他の部品に本考案を適用しても良い。
さらに、前記の説明においては、取付け孔の内周面をテーパ面に形成し、ゲルマニウムを取付け孔のテーパ面に合致する円錐形状に形成したが、このような形状の取付け孔とゲルマニウムとの組合せに限らず、ゲルマニウムを部品側に固定できれば良い。さらに、部品に取付け孔を設けずに、部品の表面に直接にゲルマニウムを取り付けても良い。
さらに、前記の説明においては、フルリムタイプのメガネフレームに本考案を適用したが、それ以外のメガネフレームに本考案を適用しても良い。
さらに、メガネフレームの材質（合成樹脂、金属等）に関わらず、本考案を適用することができる。
【図面の簡単な説明】
【００２４】
【図１】本考案によるメガネフレームの全体を示した斜視図である。
【図２】図１の部分拡大図である。
【図３】図２のＡ−Ａ線断面図である。
【図４】図３の取付け孔内にゲルマニウムを嵌合させた状態を示した断面図である。
【図５】図３の取付け孔内にゲルマニウムを嵌合させ、その外側に固着剤を充填した状態を示した断面図である。
【図６】図１の部分拡大図である。
【図７】図６のＢ−Ｂ線断面図である。
【符号の説明】
【００２５】
１  メガネフレーム
２  フロント部
３  リム
４  ブリッジ
５  ヨロイ
６  パッド足
７  ノーズパッド
８  取付け孔
９  テーパ面
１０  空隙
１１  蝶番
１２  テンプル
１３  モダン
１４  取付け孔
１５  テーパ面
１６  空隙
１７  ゲルマニウム
１８  固着剤
【図１】
0003105694.tif 000003
【図２】
0003105694.tif 000004
【図３】
0003105694.tif 000005
【図４】
0003105694.tif 000006
【図５】
0003105694.tif 000007
【図６】
0003105694.tif 000008
【図７】
0003105694.tif 000009